(57)【要約】【課題】  箱体上面でのフラップの固定状態の維持が確実に行われ、なお且つ箱体の組立が容易な包装用箱を得る。【解決手段】  包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の周囲の部分が閉じられる。これら側上フラップ４、４と端上フラップ５、５との間の箱体の上面中央部分が部分的に開いている。前記側上フラップ４、４の両端から箱体の端に沿って延設されたタブ８、８を、端上フラップ５、５を二つ折りにすることで形成されるその基部９、９とその先の折り返しフラップ１０、１０との間に挟み込む。【選択図】    図２
2006137477.tif 000002
【特許請求の範囲】
【請求項１】
箱体の対向する一対の側面を構成する側パネル（１）、（１）と、箱体の対向する一対の端面を構成する端パネル（２）、（２）とを有し、前記側パネル（１）、（１）から延設された側上フラップ（４）、（４）と前記端パネル（２）、（２）から延設された端上フラップ（５）、（５）とを箱体の上面側に折り曲げて箱体の上面の周囲の部分が閉じられると共に、これら側上フラップ（４）、（４）と前記端パネル（２）、（２）との間の箱体の上面中央部分が部分的に開いている包装用箱において、側上フラップ（４）、（４）の両端から箱体の端に沿って延設されたタブ（８）、（８）を、端上フラップ（５）、（５）を二つ折りにすることで形成されるその基部（９）、（９）とその先の折り返しフラップ（１０）、（１０）との間に挟み込み、さらに側上フラップ（４）、（４）の両端部に前記端上フラップ（５）、（５）の折り返しフラップ（１０）、（１０）の両側から延設された押えタブ（１１）、（１１）を箱体の内側から当てたことを特徴とする包装用箱。
【請求項２】
端上フラップ（５）、（５）の押えタブ（１１）、（１１）が折り返しフラップ（１０）、（１０）の両側部分から基部（９）、（９）の両側にわたって延設されていることを特徴とする請求項１に記載の包装用箱。
【発明の詳細な説明】
【技術分野】
【０００１】
本発明は、箱体の対向する一対の側面を構成する側パネルと、箱体の対向する一対の端面を構成する端パネルとを有し、前記側パネルから延設された側上フラップと前記端パネルから延設された端上フラップとを箱体の上面側に折り曲げて箱体の上面が閉じられる包装用箱に関し、特に前記側上フラップと前記端パネルとの間の箱体の上面中央部分が部分的に開いている包装用箱に関する。
【背景技術】
【０００２】
従来におけるこの種の包装用箱のブランクは、段ボール板を打ち抜くと共に折線を入れて作られている。このブランクにおいては、一対の側パネルと端パネルとが折線を介して交互に連ねられている。また、側パネルと端パネルの上下の辺は折線となっており、その折線から箱体の上面と底面を閉じる上下のフラップが延設されている。
【０００３】
このような包装用箱において、箱体の底面側は、端パネルの下辺側の折線から延設された端底フラップと側パネルの下辺側の折線から延設された側底フラップとを順次箱体の上面側に折り曲げ、それら端底フラップと側底フラップとをフラップ同士の係合、接着、或いはステープル止め等の手段で固定する。また、箱体の上面側も同様で、端パネルの上辺側の折線から延設された端上フラップと側パネルの上辺側の折線から延設された側上フラップとを順次箱体の上面側に折り曲げ、それら端上フラップと側上フラップとを互いに固定して閉じる。
【０００４】
このような包装用箱では、通常は箱体の底面を閉じた状態で箱体の上面側から収納物を収納し、その後、箱体の上面と閉じるという箱詰め手順がとられる。これに対し、ネギ、蕗、ゴボウ等の長尺な作物やカーネーション等の花卉類の農作物の出荷用として使用される包装用箱では、まず箱体の上面側を閉じた後、底面側から出荷物を収納し、その後底面を閉じるという箱詰め手順がとられる。この場合に、箱体の底面側は、一対の側底フラップにステープルを打ち込んで固定することが多い。
【０００５】
ネギ等の生鮮野菜や花卉の出荷時の包装には、一般の生鮮野菜や生鮮果実等と同様に段ボール箱が使用される。ただしこの種の長尺産品の出荷に際しての段ボール箱包装において特異な点は、第一に、予め包装用箱の上面を閉じた状態で底面から収納物を包装用箱に収納した後、上面を閉じる点である。第二、収納物を収納した後閉じられる包装用箱の上面は、周囲の部分のみが覆われ、中央部分が開口された状態となる。これは長尺出荷物の特性を活かして市場での競り売り等での出荷物の確認を容易にするためである。
【０００６】
例えばこのような包装用箱の例としては、特開２００２−２８４１３８号に記載されたもの等がある。この従来の包装用箱は、箱体の側パネルの上辺から延設された側上フラップの両側に切込みを設けている。箱体の上面を閉じるためこの側上フラップを箱体の上面側に折り曲げ、さらに箱体の側パネルの上辺から延設された端上フラップのを箱体の上面側に折り曲げた後、端上フラップの両側角部を前記側上フラップの両側の切込みに差し込んで端上フラップを前記側上フラップに固定する。これにより、箱の上面を閉じた状態を維持する。
【０００７】
このような上面中央部が開いた箱体において最も問題となるのが、箱体上面でのフラップの固定状態の維持である。すなわち、この種の箱体では、上面中央部が開いており、箱体の周囲のみが閉じられ、フラップがそれらの端部のみで係止されることから、上面の封止構造が弱く、収納物を収納しているときに、箱体の上面が開きやすい。また、箱体の上面の耐圧荷重が弱く、収納物を収納した後も、上の箱体の重みで箱体の上面が陥没しやすい。
【０００８】
さらに、一般的な取り扱いでは無いが、箱体の上面中央部が開いているため、箱体に収納物を収納した状態で、その箱体の上面中央部の端の部分から指を差し入れ、箱を持ち上げて手搬送する例もある。そのとき、その箱体の上面中央部の端の部分の固定状態が弱いと、その部分から箱体の上面が急に開き、箱体を落としてしまうこともある。
【特許文献１】特開２００２−２８４１３８号公報
【発明の開示】
【発明が解決しようとする課題】
【０００９】
本発明はこのような上面中央部が開いており、箱体の周囲のみが閉じられた従来の包装用箱における課題に鑑み、箱体上面でのフラップの固定状態の維持が確実に行われ、なお且つ箱体の組立が容易な包装用箱を提供することを目的とする。
【課題を解決するための手段】
【００１０】
本発明では、前記の目的を達成するため、上面中央部が開いた箱体の上面周囲部を閉じる側上フラップ４、４と端上フラップ５、５とを確実に連結するため、側上フラップ４、４の両端から箱体の端に沿って延設したタブ８、８を、上フラップ５、５を二つ折りにして形成されるその基部９、９とその先の折り返しフラップ１０、１０との間に挟み込み、さらに側上フラップ４、４の両端部に前記端上フラップ５、５の折り返しフラップ１０、１０の両側から延設された押えタブ１１、１１を箱体の内側から当てるようにした。
【００１１】
すなわち包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の周囲の部分が閉じられると共に、これら側上フラップ４、４と端上フラップ５、５との間の箱体の上面中央部分が部分的に開いている。
【００１２】
本発明では、このような包装用箱において、前記側上フラップ４、４の両端から箱体の端に沿って延設されたタブ８、８を、端上フラップ５、５を二つ折りにすることで形成されるその基部９、９とその先の折り返しフラップ１０、１０との間に挟み込み、さらに側上フラップ４、４の両端部に前記端上フラップ５、５の折り返しフラップ１０、１０の両側から延設された押えタブ１１、１１を箱体の内側から当てたものである。
【００１３】
このような包装用箱では、側上フラップ４、４の両端から箱体の端に沿って延設されたタブ８、８が端上フラップ５、５を二つ折りにすることで形成されるその基部９、９とその先の折り返しフラップ１０、１０との間に挟み込まれるため、側上フラップ４、４と端上フラップ５、５とがこれら基部９、９とその先の折り返しフラップ１０、１０とにより相互に固定され、箱体の上面が簡単に開かない。さらにこれに加え、側上フラップ４、４の両端部に前記端上フラップ５、５の折り返しフラップ１０、１０の両側から延設された押えタブ１１、１１を箱体の内側から当てるため、箱体の上面の中央部が開いていても、箱体の上面を下側にして箱体の底面側から収納物を収納するときに、側上フラップ４、４と端上フラップ５、５だけで収納物や上に積んだ他の箱体の荷重に耐えることが出来る。
【００１４】
このような包装用箱において、端上フラップ５、５の押えタブ１１、１１が折り返しフラップ１０、１０の両側部分から基部９、９の両側にわたって延設されていると、押えタブ１１、１１は、側上フラップ４，４の両端部分の長い範囲にわたって押えタブ１１、１１で押えられるため、耐荷重性を増大することが出来る。
【発明の効果】
【００１５】
以上説明した通り、本発明による包装用箱では、箱体上面でのフラップの固定状態の維持が確実に行われることにより、箱体の上面の中央部が開いていても、箱体の上面を下側にして箱体の底面側から収納物を収納するときに、側上フラップ４、４と端上フラップ５、５だけで収納物の荷重に耐えることが出来る。さらに、側上フラップ４、４と端上フラップ５、５とを順次箱体の上面側に折り曲げ、さらに、端上フラップ５、５を二つ折りにする動作だけで箱体の上面を閉じる動作が完結するため、箱体の組み立て動作も簡単である。
【００１６】
また特に箱体の上面中央部の端の部分の固定状態が強固になるため、その部分から指を差し入れ、箱を持ち上げて手搬送するような例の場合でも、側上フラップ４、４と端上フラップ５、５との係合が外れて、箱体の上面が急に開き、箱体を落としてしまうようなことも確実に防止出来る。
【発明を実施するための最良の形態】
【００１７】
本発明では、側上フラップ４、４の両端から箱体の端に沿って延設されたタブ８、８を、端上フラップ５、５を二つ折りにすることで形成されるその基部９、９とその先の折り返しフラップ１０、１０との間に挟み込み、さらに側上フラップ４、４の両端部に前記端上フラップ５、５の折り返しフラップ１０、１０の両側から延設された押えタブ１１、１１を箱体の内側から当てたものである。これにより、側上フラップ４、４と端上フラップ５、５とを確実に連結するようにした。
以下、このような本発明の実施例について、図面を参照しながら具体例を挙げて詳細に説明する。
【実施例１】
【００１８】
図１は、本発明の一実施例による包装用箱のブランクの展開図である。この包装用箱のブランクは紙製の波状のシートからなる中芯をライナーでラミネートした段ボール板を使用する。段ボール板を図１に実線で示すように打ち抜くと共に、破線で示すように折線を入れることにより、組み立て前のブランクが出来上がる。破線で示した折線は何れも図１の紙面に対して同じ方向に折り曲げられる。
【００１９】
図１に示す包装用箱のブランクでは、矩形の側パネル１、１と端パネル２、２とが折線を介して交互に連なっている。それら側パネル１、１と端パネル２、２の高さ、すなわち図１において左右の寸法は何れも同じであり、２つの側パネル１、１と端パネル２、２の幅、すなわち図１において上下の寸法はそれぞれ等しい。側パネル１、１の幅は、端パネル２、２の幅より大きい。側パネル１、１と端パネル２、２の高さと幅は、その収納物に応じて決定されることは言うまでもない。
端にある側パネル１の側辺からは、折線を介して接合フラップ３が延設されている。この接合フラップ３の幅は、端パネル２に比べて十分に狭い。また、端パネル２、２の中央の上辺に近い位置には、横長の孔からなるスリット１４、１４が穿孔されている。
【００２０】
側パネル１、１の上辺である折線からは、側上フラップ４、４が延設されている。この側上フラップ４、４の幅、すなわち図１において上下の寸法は、側パネル１、１の幅より若干狭い。またこの側上フラップ４、４の高さ、すなわち図１において左右の寸法は、端パネル２の幅の１／２より十分小さい。
この側上フラップ４、４の両端部分には、箱体の上面の幅方向、すなわち図１において右方向にタブ８、８が一体に延設されている。側パネル１、１と側上フラップ４、４との折れ線からの前記タブ８、８の高さは、端パネル２の幅の約１／２である。
【００２１】
端パネル２、２の上辺である折線からは端上フラップ５、５が延設されている。この端上フラップ５、５は、上下２段の部分からなっており、下段側が基部９、９であり、上段側が折り返しフラップ１０，１０である。これら下段側の基部９、９と上段側の折り返しフラップ１０，１０の間には、端上フラップ５、５と端パネル２、２との間の折線と平行に２本の折線が設けられている。端上フラップ５、５の下段側が基部９、９と上段側の折り返しフラップ１０、１０との高さ、すなわち図１において左右方向の寸法は、上側パネル４の両側のタブ８、８の幅、すなわち図１において左右方向の寸法より僅かに大きい。
この端上フラップ５、５の上段側の折り返しフラップ１０、１０の上辺の中央部には、低い凸状の差し込みタブ１５、１５が突設されている。この差し込みタブ１５、１５の幅は、前記端パネル２、２のスリット１４、１４より僅かに狭い。
【００２２】
また、折り返しフラップ１０、１０の両側には、折れ線を介して押さえフラップ１１、１１が連なっている。これら折り返しフラップ１０、１０とその両側の押えフラップ１１、１１との間の折れ線は、端パネル２、２と端上フラップ５、５との間の折れ線に対して直角である。これら折り返しフラップ１０、１０とその両側のフラップ１１、１１との合計の幅は、前記端パネル２、２の幅より僅かに狭い。
【００２３】
端上フラップ５、５の前記基部９、９の両側は、折り返しフラップ１０、１０と押えラップ１１、１１との間の折れ線の端点を起点として斜め４５゜に切り取られ、その切り取られた両側部分が前記押えフラップ１１、１１の一部となって連なっている。従って端上フラップ５、５の前記基部９、９は台形であり、押えフラップ１１、１１の基部９、９の両側部分は直角三角形となっている。
【００２４】
側パネル１、１の下辺である折線からは、側底フラップ６、６が延設されている。この側底フラップ６、６の幅、すなわち図１において上下の寸法は、側パネル１、１の幅より若干狭い。またこの側底フラップ６、６の高さ、すなわち図１において左右の寸法は、端フラップ２の幅の約１／２である。
【００２５】
この側底フラップ６、６の両側部分には、同側底フラップ６、６の中心に対して対称に側パネル１、１の下辺である折線を起点として、同折線と直角に切込み１３、１３が設けられている。この切込み１３，１３の先の部分は、側パネル１、１の中央に向けて側パネル１、１の下辺である折線に対して斜め約４５゜の角度で切り込まれている。さらにこの切込み１３、１３の先端側は、４５゜の角度で回り込むように側底フラップ６、６の両端側に向けて延びている。
【００２６】
この切込み１３、１３より側底フラップ６、６の両端側に寄った位置に、側パネル１、１の下辺である折線を起点として、同折線と直角にもう一対ずつの切込みが設けられている。この切込みと前記斜め４５゜の切込み１３、１３との間には、側パネル１、１の下辺である折線に近い側に切込み線が、また側パネル１、１の下辺である折線と遠い側に折線が設けられている。これら切込み線と折線は、側パネル１、１の下辺である折線と平行である。
【００２７】
端パネル２、２の下辺である折線からは、端底フラップ７、７が延設されている。この端底フラップ７、７の幅、すなわち図１において上下の寸法は、端パネル２、２の幅より若干狭く、またその高さ、すなわち図１において左右の寸法は、前記側底フラップ６、６と同じである。
【００２８】
この端底フラップ７、７の基部側、すなわち端パネル２、２の下辺である折線に近い側に同折線と平行に折線が設けられている。また、端底フラップ７、７の先端辺の両側には、後述するようにして箱体の上面を閉じる際に、前記切込み１３、１３の端部に係合するＵ字形の切欠きが設けられている。
【００２９】
このようなブランクから包装用箱は次のようにして組み立てられ、その中に収納物が収納される。
まず、図２に示すように、側パネル１、１、端パネル２、２及び接合フラップ３の間にある折線を何れも９０゜の角度で谷折りする。さらに、接合フラップ３の外側面に糊を塗布し、この接合フラップ３の外側面を端パネル２の端縁部の内面に貼り付ける。これにより、図２に示すような側パネル１、１と端パネル２、２が交互に連なった四角筒状の胴部が形成される。
【００３０】
次に、図２に示すように、箱体の上面を上側にして、まず側上フラップ４、４をそれらの下辺の折線でそれぞれ箱体の上面内側に向けて約９０゜の角度で折り曲げ、箱体の上面に乗せる。
次に端上フラップ５、５をそれらの下辺の折線でそれぞれ箱体の上面内側に向けて約９０゜の角度で折り曲げ、端上フラップ５、５の基部９、９を前記を側上フラップ４、４のタブ８、８の上にのせる。
【００３１】
その後、図３に示すように、端上パネル５、５の中央の２本の折れ線で折り返しフラップ１０、１０を前記タブ８、８の内側に折り曲げる。この折り返しフラップ１０、１０の折り曲げに際しては、その両側の押えフラップ１１、１１が一旦折り返しフラップ１０、１０の両側の折れ線で折り曲がり、これによって折り返しフラップ１０、１０とその両側の押えフラップ１１、１１が側上フラップ４、４の間を通り抜ける。
【００３２】
図３において手前側の押えフラップ１１、１１は、矢印で示すように折り返しフラップ１０、１０を箱体の内側に折り曲げる途中の状態であり、図３において奥側は折り返しフラップ１０、１０を箱体の内側に完全に折り曲げた状態である。図４と図５は、これらの状態を箱体の内側から見た図である。図４が前者の折り曲げ途中の状態、図５が後者の完全に折り曲げた後の状態である。
【００３３】
図５に示すように、折り返しフラップ１０、１０を２本の折れ線で９０゜ずつ折り曲げ、箱体の内側に完全に折り曲げた状態では、折り返しフラップ１０、１０が側上フラップ４、４のタブ８、８の下に当てられる。さらに、折り返しフラップ１０、１０の上辺の中央部に設けた差し込みタブ１５、１５が端パネル２、２のスリット１４、１４に差し込まれる。これにより、側上フラップ４、４のタブ８、８は、端上フラップ５、５の基部９、９と折り返しタブ１１、１１とにより、箱体の外と中で完全に挟み込まれる。また、押えフラップ１１、１１は、側上フラップ４、４のタブ８、８の基部の下の部分に当てられる。図１〜図５に示した実施例では、押えフラップ１１、１１が基部９、９の両側に延長されて切り出されているため、押えフラップ１１、１１は、側上フラップ４、４のタブ８、８の基部の部分を超えて側上フラップ４、４の中央に寄った部分にも当てられる。
【００３４】
なお、側上フラップ４、４の高さは、端パネル２、２の幅の１／２より小さく、端上フラップ５、５の高さは、側パネル１、１の幅の１／２より相当に小さいため、側上フラップ４、４と端上フラップ５、５とにより箱体の上面が閉じられたと言えども、これら側上フラップ４、４と端上フラップ５、５とに囲まれた箱体の上面中央部には、窓状の開口部が形成される。
【００３５】
このようにして箱体の上面が閉じられたら、箱体の底面側を上に向けた状態で箱体の中に長ネギ等の収納物を収納する。
箱体の中に収納物を収納した後、図６に示すように、側底フラップ６、６をその上辺である折線で箱体の底面内側に向けて約９０゜の角度で折り曲げ、箱体の上面の一部を閉じる。その後、図６に示すように、端底フラップ７、７をそれらの上辺の折線でそれぞれ箱体の底面内側に向けて約９０゜の角度で折り曲げる。この端底フラップ７、７の折り曲げに際しては、端底フラップ７、７をその基部側中にある折れ線で一時的に折り曲げながら、図６に示すように、端底フラップ７、７の両側先端角部を側底フラップ６、６の両側の切込み１３、１３から側底フラップ６、６の内側に差し込む。これにより、図６に示したように、側底フラップ６、６と端底フラップ７、７とが互いに連結され、且つこれら側底フラップ５、５と端底フラップ７、７とにより箱体の底面が閉じられる。このとき、端底フラップ７、７の先端辺にある切欠きが側底フラップ６、６の切込み１３、１３の端に掛かる。
その後箱体を上下反転し、中央部が開口した箱体の上面を上に向けた状態で、収納物を収納した箱体が出荷のため搬送される。
【実施例２】
【００３６】
図７〜図１１は、本発明の他の実施例による包装用箱を示す図である。
図１〜図６により前述した実施例による包装用箱が、端上フラップ５、５の基部９、９の両側を斜め４５゜に切断して押えフラップ１１、１１を延長したのに対し、この実施例では、端上フラップ５、５の基部９、９と折り返しフラップ１０、１０との間の２本の折れ線の両側を、端パネル２、２と端上フラップ５、５との間の折れ線と平行に切断したものである。従って、押えフラップ１１、１１は、返しフラップ１０、１０の両側にのみ連なっている。
図７〜図１１に示した包装用箱は、その他の構成において、図１〜図６により前述した実施例による包装用箱と全く同じである。
【００３７】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側パネル１、１」を「端パネル１、１」と言い換え、「端パネル２、２」を「側パネル２、２」と言い換えることもできることはもちろんである。
【図面の簡単な説明】
【００３８】
【図１】本発明の一実施例によるトレイ形包装用箱を組み立てる前のブランクを示す展開図である。
【図２】同実施例によるトレイ形包装用箱を上下逆に向けて、その側上フラップを折り曲げた状態を示す斜視図である。
【図３】同実施例によるトレイ形包装用箱を上下逆に向けて、その端上フラップを折り曲げる途中の状態を示す斜視図である。
【図４】同実施例によるトレイ形包装用箱の上面の上面側を上に向けて、その端部内側で端上フラップを折り曲げる途中の状態示す要部斜視図である。
【図５】同実施例によるトレイ形包装用箱の上面の上面側を上に向けて、その端部内側で端上フラップを折り曲げた状態示す要部斜視図である。
【図６】同実施例によるトレイ形包装用箱を底面を閉じた状態を示す下から見た斜視図である。
【図７】本発明の他の実施例によるトレイ形包装用箱を組み立てる前のブランクを示す展開図である。
【図８】同実施例によるトレイ形包装用箱を上下逆に向けて、その側上フラップを折り曲げた状態を示す斜視図である。
【図９】同実施例によるトレイ形包装用箱を上下逆に向けて、その端上フラップを折り曲げる途中の状態を示す斜視図である。
【図１０】同実施例によるトレイ形包装用箱の上面の上面側を上に向けて、その端部内側で端上フラップを折り曲げる途中の状態示す要部斜視図である。
【図１１】同実施例によるトレイ形包装用箱の上面の上面側を上に向けて、その端部内側で端上フラップを折り曲げた状態示す要部斜視図である。
【符号の説明】
【００３９】
１    側パネル
２    端パネル
４    側上フラップ
５    端上フラップ
８    側上フラップのタブ
９    端上フラップの基部
１０  端上フラップの折り返しフラップ
１１  押えタブ
【図１】
2006137477.tif 000003
【図２】
2006137477.tif 000004
【図３】
2006137477.tif 000005
【図４】
2006137477.tif 000006
【図５】
2006137477.tif 000007
【図６】
2006137477.tif 000008
【図７】
2006137477.tif 000009
【図８】
2006137477.tif 000010
【図９】
2006137477.tif 000011
【図１０】
2006137477.tif 000012
【図１１】
2006137477.tif 000013